(57)【要約】【課題】回路基板用電気コネクタに設けられるロック金具のロック部の突出量を大きくして、ロック部同士の安定したロック状態を確保できる回路基板用電気コネクタおよび電気コネクタ組立体を提供する。【解決手段】ロック金具３０は、ハウジング１０の下部位置で端子配列方向に延びる部分をもつ基部と、該端子配列方向での端壁１４同士間の範囲内で上記基部の一部から上方へ起立する起立部と、該起立部の上部から上記端壁１５側へ向いて突出し、相手コネクタ２に設けられた被ロック部に対して上方に係止可能なロック部３３とを有しており、上記ロック金具３０の基部は、コネクタ嵌合過程にて、上記端子配列方向での外力を受けた際に、該ロック金具３０に対応する端壁１５から離間するような上記端子配列方向での上記起立部および上記ロック部３３の移動を許容するように上記端子配列方向に弾性変形する弾性変形部３１Ｃ−１を有している。【選択図】図１
2014093180.tif 000002
【特許請求の範囲】
【請求項１】
回路基板の実装面上に配され該実装面に対して直角な上下方向をコネクタ挿抜方向として上方から相手コネクタが嵌合接続される回路基板用電気コネクタであって、
上記回路基板用電気コネクタは、上記回路基板の実装面に対して平行な一方向を長手方向として延びるハウジングと、上記長手方向を端子配列方向として該ハウジングに配列保持される複数の端子と、上記端子配列方向でのハウジングの端部に保持されるロック金具とを有しており、
上記ハウジングは、上記一方の回路基板の実装面に対面する底壁と、該底壁から上方へ向けて起立する周壁とを有しており、上記周壁は、上記端子配列方向に延びる二つの側壁と、上記端子配列方向に対して直角なコネクタ幅方向に延び上記側壁の上記端子配列方向での端部同士を連結する端壁とを有し、上記周壁によって囲まれた空間が、相手コネクタを受け入れるための受入部として形成されている回路基板用電気コネクタにおいて、
上記ロック金具は、ハウジングの下部位置で上記端子配列方向に延びる部分をもつ基部と、該端子配列方向での端壁同士間の範囲内で上記基部の一部から上方へ起立する起立部と、該起立部の上部から上記端壁側へ向いて突出し、相手コネクタに設けられた被ロック部に対して上方に係止可能なロック部とを有しており、
上記ロック金具の基部は、コネクタ嵌合過程にて、上記端子配列方向での外力を受けた際に、該ロック金具に対応する端壁から離間するような上記端子配列方向での上記起立部および上記ロック部の移動を許容するように上記端子配列方向に弾性変形する弾性変形部を有していることを特徴とする回路基板用電気コネクタ。
【請求項２】
ロック金具の基部は、端壁寄り位置にコネクタ幅方向外方へ向けて延出する屈曲部分を有しており、該屈曲部分が、ハウジング外に露呈する露呈部分を有し、該露呈部分が端子配列方向で上記ハウジングの受入部側へ向けた押圧力を操作力として受けて、上記ロック金具に対応する端壁から離間するような上記端子配列方向での起立部およびロック部の移動を可能とするロック解除操作部として形成されていることとする請求項１に記載の回路基板用電気コネクタ。
【請求項３】
ロック金具は、端壁寄り位置でコネクタ幅方向に延びる延長腕部を有し、該延長腕部の端部が、ハウジングに保持されるための被保持部として形成されており、該被保持部の上下方向縁部から突出する被係止突部を有しており、端壁は、上記被保持部を収容して保持するための保持溝部が上下方向に延びるとともに下方に開口して形成されており、該保持溝部を形成する溝内壁面のうち上記被保持部の上下方向縁部に対向する溝内壁面に、上記被係止突部よりも下方位置で該被係止突部の下縁と対向して該下縁と係止可能な段状の係止部が形成されており、該係止部が、上記被係止突部の下方への移動を規制することとする請求項１または請求項２に記載の回路基板用電気コネクタ。
【請求項４】
ハウジングは、底壁から上方へ向けて受入部内で起立して端子配列方向に延びる突壁を有し、該突壁は、上記端子配列方向での両端部に、端壁側へ向けて開放され上下方向に延びる収容溝部が形成されており、ロック金具は、起立部が上記収容溝部内にそしてロック部の少なくとも一部が上記収容溝部外に位置していることとする請求項１ないし請求項３のいずれか一つに記載の回路基板用電気コネクタ。
【請求項５】
ロック金具の起立部は、上下方向縁部からコネクタ幅方向外方へ屈曲する被規制部を有し、上記ハウジングの収容溝部を形成する溝内壁面は、上記被規制部よりも下方位置で該被規制部の下縁と対向して該下縁と係止可能な面を有する段状の規制部が形成されており、該規制部が、上記ロック金具の下方への移動を規制していることとする請求項４に記載の回路基板用電気コネクタ。
【請求項６】
ハウジングの突壁は、ロック金具の起立部よりも上方位置で上記突壁の収容溝部の少なくとも一部を閉塞する上壁が形成されており、該上壁の下面は、上記起立部の上縁と対向して該上縁と係止可能に位置して上記起立部の上部の上方へ向けた変位を規制することとする請求項４または請求項５に記載の回路基板用電気コネクタ。
【請求項７】
ハウジングの収容溝部を形成する溝内壁面のうちコネクタ幅方向で互いに対向する対向溝内壁面は、ロック金具の起立部へ向けてコネクタ幅方向に突出する突出部が形成されており、該突出部は、上記起立部とコネクタ幅方向で当接可能に位置し、該コネクタ幅方向での上記起立部の位置を突出頂部で規制することとする請求項１ないし請求項６のいずれか一つに記載の回路基板用電気コネクタ。
【請求項８】
請求項１ないし請求項７のうちのいずれか一つに記載の回路基板用電気コネクタと、該回路基板用電気コネクタに対して上方から嵌合接続される相手コネクタとを備え、該相手コネクタは、コネクタ嵌合状態にて回路基板用電気コネクタのロック金具のロック部に対して上方に係止可能な被ロック部を有していることを特徴とする電気コネクタ組立体。
【発明の詳細な説明】
【技術分野】
【０００１】
本発明は、回路基板の実装面上に配され該実装面に対して直角な上下方向をコネクタ挿抜方向として上方から相手コネクタが嵌合接続される回路基板用電気コネクタおよび該回路基板用電気コネクタと相手コネクタとを備える電気コネクタ組立体に関する。
【背景技術】
【０００２】
この種の電気コネクタ組立体は、例えば特許文献１に開示されている。この特許文献１では、レセプタクルコネクタのレセプタクル側ハウジングは、平面形状が矩形をなし、その長手方向を端子配列方向としてレセプタクル側端子を配列保持している。上記レセプタクル側ハウジングは、一方の回路基板の実装面に対面する底壁と、上記実装面に対して直角をなす上方へ向けて上記底壁から起立して上記端子配列方向に延びる突壁と、該突壁を囲むように枠状に形成され上記底壁から上方へ向けて起立する周壁とを有しており、該周壁と上記突壁との間で上方へ開口した環状の空間が、プラグコネクタの嵌合部を受け入れるための受入部として形成されている。上記周壁は、上記端子配列方向に延びる二つのレセプタクル側側壁と、上記端子配列方向に対して直角なコネクタ幅方向に延び上記レセプタクル側側壁の上記端子配列方向での端部同士を連結するレセプタクル側端壁とを有している。
【０００３】
上記レセプタクル側ハウジングは、上記端子配列方向での端子配列範囲外に位置する両端部にレセプタクル側ロック金具を保持している。該レセプタクル側ロック金具は、金属板を打ち抜きそして板厚方向に屈曲して作られており、レセプタクル側端壁に沿って延びる帯状部分の上縁から受入部側で屈曲されて下方へ延びる舌片状の係合片を有している。該係合片は、端子配列方向、すなわち該係合片の板厚方向に弾性変形可能となっており、プラグコネクタとのロックのためのレセプタクル側ロック部として機能する。
【０００４】
一方、プラグコネクタのプラグ側ハウジングは、その長手方向を端子配列方向としてプラグ側端子を配列保持している。上記プラグ側ハウジングは、上記レセプタクル側側壁と同方向に延びる二つのプラグ側側壁と、上記レセプタクル側端壁と同方向に延び上記プラグ側側壁の上記端子配列方向での端部同士を連結するプラグ側端壁とから成る周壁を有し、該周壁が、コネクタ嵌合状態にて上記レセプタクル側ハウジングに形成された環状の受入部内に上方から進入する嵌合部として形成されている。
【０００５】
上記プラグ側ハウジングは、端子配列方向での端子配列範囲外に位置する両端部でプラグ側ロック金具を保持している。該プラグ側ロック金具は、金属板を打ち抜きそして板厚方向に屈曲して作られており、プラグ側端壁の外側面から端子配列方向外方へ延出し上下方向に対して直角な板面をもつ板状の係合突起を有している。該係合突起は、その突出側先端でレセプタクル側ロック部としての上記係合片の下縁に対してコネクタ抜出方向（上方）に係止してロックするためのプラグ側ロック部として機能する。
【０００６】
この特許文献１のコネクタ組立体では、コネクタ嵌合過程にて、プラグ側ロック金具の係止突起が、降下時にその先端でレセプタクル側ロック金具の係合片の板面を端子配列方向外方（板厚方向）へ押圧して同方向へ弾性変位させて上記係止突起のさらなる降下を許容し、上記係止突起が上記係合片より下方位置にまで達してコネクタ嵌合状態なると、上記係合片が自由状態に戻り、該係合片の下縁が上記係止突起の上方に位置する。この結果、コネクタ嵌合状態にあるプラグコネクタに上方（コネクタ抜出方向）への外力が作用したとき、上記係合突起が上記係合片の下縁に対して上方へ向けて係止することによりコネクタ同士のロック状態が維持されるようになる。
【先行技術文献】
【特許文献】
【０００７】
【特許文献１】特開２０１１−０６５８６１
【発明の概要】
【発明が解決しようとする課題】
【０００８】
特許文献１では、コネクタ嵌合状態にあるプラグコネクタに不用意な抜出力としての上方への外力が作用したとき、レセプタクル側ロック金具の係合片は、プラグ側ロック金具の係合突起からの上方へ向けた上記抜出力を上記係合片の下縁で受けることとなる。しかし、上記係合片が上記係止突起に対して係止可能な部分の寸法は、該係合片の板厚寸法分しか確保できないので、上記係止突起が上記係合片に対して端子配列方向で上記板厚寸法分ずれて位置しただけでコネクタ同士のロックを図れなくなってしまう。また、上記係合片は、レセプタクル側ロック金具の一部として作られている関係上、他部と同一厚さであるので上記板厚寸法には限度がある。
【０００９】
そこで、特許文献１のような形態の回路基板用電気コネクタにおいて、相手コネクタとの安定したロック状態を確保するためには、レセプタクル側ロック部の突出量を大きくしてプラグ側ロック部に対して係止可能な部分の範囲を大きく形成し、かつ、レセプタクル側ロック部が上記範囲に対応する距離だけ移動できるようにしてロックそしてロック解除を可能とすることが望ましい。
【００１０】
本発明では、このような事情に鑑みて、回路基板用電気コネクタに設けられるロック金具のロック部の突出量を大きくして、ロック部同士の安定したロック状態を確保できる回路基板用電気コネクタおよび該回路基板用電気コネクタと相手コネクタとを備える電気コネクタ組立体を提供することを課題とする。
【課題を解決するための手段】
【００１１】
既述したように、回路基板用電気コネクタのコネクタ同士の安定したロック状態を確保するためには、該回路基板用電気コネクタのロック部の突出量を大きくする必要がある。また、コネクタ嵌合状態で相手コネクタの被ロック部を上記ロック部に対して係止可能な位置にもたらすためには、コネクタ嵌合過程にて、上記ロック部が端子配列方向へ移動することにより相手コネクタの被ロック部の下方への移動を許容するようになっていなければならない。
【００１２】
特許文献１のように、ロック部を端壁側に設けた場合、端子配列方向でのコネクタの大型化を回避するためには、コネクタ嵌合過程にて、上記ロック部が端子配列方向外方へ移動して上記壁厚範囲内に収容されることが必要となる。しかし、ロック部の突出量を大きくしようとしても、ロック部を収容するだけのために端壁の壁厚を大きくすることは端子配列方向でのコネクタの大型化につながるので、自ずと制限を受けることとなる。本発明は、このような状況を考慮して、以下の第一発明および第二発明に至った。
【００１３】
＜第一発明＞
第一発明に係る回路基板用電気コネクタは、回路基板の実装面上に配され該実装面に対して直角な上下方向をコネクタ挿抜方向として上方から相手コネクタが嵌合接続される回路基板用電気コネクタであって、上記回路基板用電気コネクタは、上記回路基板の実装面に対して平行な一方向を長手方向として延びるハウジングと、上記長手方向を端子配列方向として該ハウジングに配列保持される複数の端子と、上記端子配列方向でのハウジングの端部に保持されるロック金具とを有しており、上記ハウジングは、上記一方の回路基板の実装面に対面する底壁と、該底壁から上方へ向けて起立する周壁とを有しており、上記周壁は、上記端子配列方向に延びる二つの側壁と、上記端子配列方向に対して直角なコネクタ幅方向に延び上記側壁の上記端子配列方向での端部同士を連結する端壁とを有し、上記周壁によって囲まれた空間が、相手コネクタを受け入れるための受入部として形成されている。
【００１４】
かかる回路基板用電気コネクタにおいて、本発明では、上記ロック金具は、ハウジングの下部位置で上記端子配列方向に延びる部分をもつ基部と、該端子配列方向での端壁同士間の範囲内で上記基部の一部から上方へ起立する起立部と、該起立部の上部から上記端壁側へ向いて突出し、相手コネクタに設けられた被ロック部に対して上方に係止可能なロック部とを有しており、上記ロック金具の基部は、コネクタ嵌合過程にて、上記端子配列方向での外力を受けた際に、該ロック金具に対応する端壁から離間するような上記端子配列方向での上記起立部および上記ロック部の移動を許容するように上記端子配列方向に弾性変形する弾性変形部を有していることを特徴としている。
【００１５】
本発明では、ロック金具のロック部は、端子配列方向での端壁同士間の範囲内に位置する起立部の上部から突出している。したがって、本発明では、すでに存在している上記範囲を利用しているので、ロック金具を設けることそしてロック動作を与えることにおいて、ロック金具をここに設けない場合と比較して、端子配列方向での大型化を招くおそれがない。本発明において、コネクタ嵌合過程では、ロック金具のロック部は、上方からもたらされた相手コネクタの被ロック部と当接し、該被ロック部によって、端子配列方向内方、すなわち、上記ロック金具に対応する端壁から上記ロック部が離間する方向に押圧される。このとき、基部の弾性変形部が端子配列方向に弾性変形することにより、上記端子配列方向内方へ向けた起立部そしてロック部の移動が許容され、該ロック部が溝部内に収容される。つまり、該ロック部が、上記被ロック部の上下動に対して干渉する原位置から後退するので、上記被ロック部の下方への移動が許容される。この結果、被ロック部がロック部よりも下方位置にまで達すると、上記弾性変形部は上記ロック部が原位置に復帰する方向へ移動するようにその弾性変形量が減じられ、ロック部がロック部の上方位置に突出して、被ロック部がロック部に対して上方へ向けて係止可能な状態、すなわちロック状態となる。
【００１６】
また、本発明では、起立部およびロック部は端子配列方向での端壁同士間の範囲内で移動するようになっている。上記端子配列方向はハウジングの長手方向であるので、ロック部の突出量を大きく確保しても、該ロック部そして起立部の端子配列方向での移動を許容するための空間を上記端壁同士間の範囲内で容易に確保でき、安定したロック状態を確保できる。
【００１７】
本発明において、ロック金具の基部は、端壁寄り位置にコネクタ幅方向外方へ向けて延出する屈曲部分を有しており、該屈曲部分が、ハウジング外に露呈する露呈部分を有し、該露呈部分が端子配列方向で上記ハウジングの受入部側へ向けた押圧力を操作力として受けて、上記ロック金具に対応する端壁から離間するような上記端子配列方向での起立部およびロック部の移動を可能とするロック解除操作部として形成されていてもよい。
【００１８】
上記ロック解除操作部を設けることにより、コネクタ抜出の際、基部の露呈部分が押圧力を操作力として受けると、ハウジングの受入部側へ向けてロック金具の起立部そしてロック部が上記端子配列方向で移動するので、ロック状態が解除され、相手コネクタを上方へ容易に抜出できる。
【００１９】
本発明において、ロック金具は、端壁寄り位置でコネクタ幅方向に延びる延長腕部を有し、該延長腕部の端部が、ハウジングに保持されるための被保持部として形成されており、該被保持部の上下方向縁部から突出する被係止突部を有しており、端壁は、上記被保持部を収容して保持するための保持溝部が上下方向に延びるとともに下方に開口して形成されており、該保持溝部を形成する溝内壁面のうち上記被保持部の上下方向縁部に対向する溝内壁面に、上記被係止突部よりも下方位置で該被係止突部の下縁と対向して該下縁と係止可能な段状の係止部が形成されており、該係止部が、上記被係止突部の下方への移動を規制することとしてもよい。
【００２０】
上記係止部および被係止部を設けることにより、端壁の収容溝部の係止部が、ロック金具の被係止部の下方への移動を規制するので、ハウジングからのロック金具の抜けをより確実に防止できる。
【００２１】
本発明において、ハウジングは、底壁から上方へ向けて受入部内で起立して端子配列方向に延びる突壁を有し、該突壁は、上記端子配列方向での両端部に、端壁側へ向けて開放され上下方向に延びる収容溝部が形成されており、ロック金具は、起立部が上記収容溝部内にそしてロック部の少なくとも一部が上記収容溝部外に位置しているようにすることができる。
【００２２】
突壁は端子配列方向に延びているので、端壁に収容溝部を形成する場合と比較して、上記収容溝部の深さを十分に大きくすることができる。したがって、ロック部の突出量を大きく確保しても、起立部は該ロック部が上記収容溝部内に収容されるのに必要な寸法分だけ上記収容溝部内で移動できる。つまり、ロック部の突出量を十分に大きくして、相手コネクタの被ロック部と係止可能な部分の範囲を大きく確保できるので、安定したロック状態を確保できる。
【００２３】
本発明において、ロック金具の起立部は、上下方向縁部からコネクタ幅方向外方へ屈曲する被規制部を有し、上記ハウジングの収容溝部を形成する溝内壁面は、上記被規制部よりも下方位置で該被規制部の下縁と対向して該下縁と係止可能な面を有する段状の規制部が形成されており、該規制部が、上記ロック金具の下方への移動を規制していることとしてもよい。
【００２４】
コネクタ嵌合過程にて、相手コネクタの被ロック部がコネクタのロック部に対して上方から当接することにより、該ロック部が下方へ向けた押圧力を受ける。該押圧力を受けたロック金具の被規制部はハウジングの規制部と係止するので、ロック金具の下方への移動が規制されるので、ハウジングからのロック金具の抜けを防止できる。
【００２５】
本発明において、ハウジングの突壁は、ロック金具の起立部よりも上方位置で上記突壁の収容溝部の少なくとも一部を閉塞する上壁が形成されており、該上壁の下面は、上記起立部の上縁と対向して該上縁と係止可能に位置して上記起立部の上部の上方へ向けた変位を規制することとしてもよい。
【００２６】
上記上壁を設けることにより、コネクタ嵌合状態にて、相手コネクタが上方（抜出方向）へ不用意に持ち上げられたとしても、起立部の上縁がハウジングの上壁の下面に係止するので、上記起立部の上部の変位が規制される。この結果、ロック部と被ロック部との係止状態が維持され、安定したロック状態を維持できる。
【００２７】
本発明において、ハウジングの収容溝部を形成する溝内壁面のうちコネクタ幅方向で互いに対向する対向溝内壁面は、ロック金具の起立部へ向けてコネクタ幅方向に突出する突出部が形成されており、該突出部は、上記起立部とコネクタ幅方向で当接可能に位置し、該コネクタ幅方向での上記起立部の位置を突出頂部で規制することとしてもよい。
【００２８】
上記突出部を設けることにより、該突出部がコネクタ幅方向での起立部の位置を突出頂部で規制するので、コネクタ幅方向でのロック部の位置が規制される。この結果、被ロック部との係止状態を確実に確保でき、安定したロック状態を維持できる。
【００２９】
＜第二発明＞
第二発明に係る電気コネクタ組立体は、第一発明に係る回路基板用電気コネクタと、該回路基板用電気コネクタに対して上方から嵌合接続される相手コネクタとを備え、該相手コネクタは、コネクタ嵌合状態にて回路基板用電気コネクタのロック金具のロック部に対して上方に係止可能な被ロック部を有していることを特徴としている。
【発明の効果】
【００３０】
以上のように、本発明では、ロック金具の起立部およびロック部は端子配列方向、換言するとハウジングの長手方向での端壁同士間の範囲内で移動するようになっている。したがって、ロック部の突出量を大きく確保しても、ロック金具の配置の有無にかかわらず存在する上記端壁同士間の範囲内で該ロック部そして起立部の上記端子配列方向での移動を許容するための空間を容易に確保でき、上記端子配列方向でコネクタを大型化することなく、確実なロック状態を安定して得ることができる。
【図面の簡単な説明】
【００３１】
【図１】第一実施形態に係るレセプタクルコネクタおよびこれに対して上方から嵌合されるプラグコネクタの斜視図であり、コネクタ嵌合前の状態を示している。
【図２】図１のレセプタクルコネクタおよびプラグコネクタを上下反転させて示した斜視図であり、プラグコネクタを下方から嵌合させるようにした姿勢で示した斜視図である。
【図３】図１のレセプタクルコネクタのロック金具のみを、図１のレセプタクルコネクタに保持されている姿勢で示した斜視図である。示した斜視図である。
【図４】図１のレセプタクルコネクタのロック金具の取付工程を示す、コネクタ幅方向に対して直角な面での断面斜視図であり、（Ａ）はロック金具の取付前、（Ｂ）は該ロック金具の取付後を示している。
【図５】図１のレセプタクルコネクタの端子配列方向に対して直角な面での断面図であり、上記端子配列方向におけるロック金具の被保持部の位置での断面を示している。
【図６】図１のレセプタクルコネクタのコネクタ挿抜方向に対して直角な面での断面図であり、上記端子配列方向での側壁の範囲では、ロック部の位置での断面を示し、上記端子配列方向での端壁の範囲では、上下方向で被保持部の上端の位置での断面を示している。
【図７】ロック金具の移動を示すレセプタクルコネクタの一部の断面図であり、（Ａ）はコネクタ挿抜方向に対して直角な面での断面図であり、（Ｂ）は端子配列方向に対して直角な面での断面図である。
【図８】（Ａ）は、第一実施形態のロック金具の変形例を示す斜視図であり、（Ｂ）は他の変形例を示す斜視図である。
【図９】第二実施形態に係るレセプタクルコネクタの一部の横断面図であり、コネクタ挿抜方向に対して直角な面での断面を示している。
【図１０】第三実施形態に係るレセプタクルコネクタを示す斜視図である。
【図１１】第四実施形態に係るプラグコネクタを示しており、（Ａ）はプラグコネクタの斜視図であり、（Ｂ）は（Ａ）のプラグコネクタのコネクタ幅方向に対して直角な面での断面斜視図である。
【発明を実施するための形態】
【００３２】
以下、添付書類にもとづき、本発明の実施の形態について説明する。
【００３３】
＜第一実施形態＞
図１は、本実施形態に係るレセプタクルコネクタ１およびこれに対して上方から嵌合されるプラグコネクタ２の斜視図であり、コネクタ嵌合前の状態を示している。図２は、図１のレセプタクルコネクタ１およびプラグコネクタ２を上下反転させて示した斜視図であり、プラグコネクタ２を下方から嵌合させるようにした姿勢で示した斜視図である。
【００３４】
本実施形態におけるレセプタクルコネクタ１及び該レセプタクルコネクタ１の相手コネクタたるプラグコネクタ２は、それぞれ異なる回路基板（図示せず）の実装面上に配される回路基板用コネクタであり、各回路基板の面に対して直角な方向（図１での上下方向）を挿抜方向とするコネクタ組立体を構成している。
【００３５】
レセプタクルコネクタ１は、図１に見られるように、略直方体外形をなすレセプタクル側ハウジング１０と、該レセプタクル側ハウジング１０の長手方向を端子配列方向として該レセプタクル側ハウジング１０によって二列に配列保持される複数の端子２０と、上記長手方向での上記レセプタクル側ハウジング１０の両端部で保持される二つのロック金具３０および四つの固定金具７０とを有している。該レセプタクルコネクタ１は、図１で示される姿勢で、回路基板上に配置実装される。
【００３６】
上記レセプタクル側ハウジング１０は、例えば樹脂等の電気絶縁材で作られており、回路基板の実装面と平行な一方向を長手方向（端子配列方向）として延びている。該レセプタクル側ハウジング１０は、上記実装面に対して平行な底壁１１（図２参照）と、図１にて、該底壁１１から上方へ向けて起立するとともに端子配列方向に延びる突壁１２と、上記底壁１１から上方へ向けて起立するとともに上記突壁１２を囲む枠状の周壁１３とを有している。該周壁１３は、上記端子配列方向に延びる一対の側壁１４と、該端子配列方向に対して直角なコネクタ幅方向に延び上記一対の側壁１４の端部同士を連結する一対の端壁１５とを有している。上記突壁１２と周壁１３との間で上方へ向け開口する環状空間は、プラグコネクタ２の嵌合部としての周壁４３を受け入れるための受入部１６として形成されている。
【００３７】
上記レセプタクル側ハウジング１０には、端子２０を保持するための端子保持溝１７が、突壁１２の長手方向中心線に対してコネクタ幅方向で対称な二列をなし、端子配列方向で等間隔に配列形成されている。各端子保持溝１７は、突壁１２の側面、底壁１１の上面、側壁１４の内側面（突壁１２の側面と対向する面）、該側壁１４の上面及び外側面にわたって連続して延びるとともに没していて、上記端子配列方向に見て横Ｓ字溝状をなして形成されている。
【００３８】
また、図１に見られるように、底壁１１は、端子配列方向での両端壁寄り位置、換言すると、端子配列範囲外の位置に、固定金具７０を保持するための固定金具保持溝１１Ａが形成されている。該固定金具保持溝１１Ａは、上下方向に延びるスリット状をなしており、下方そしてコネクタ幅方向外方へ向けて開放されている。
【００３９】
上記レセプタクル側ハウジング１０は、端子配列方向での両端部にロック金具３０を収容して保持する形態をなしているが、その形態の理解のために、レセプタクル側ハウジング１０のさらなる説明に先立ち、まず、上記ロック金具３０について説明する。
【００４０】
図３は、図１のレセプタクルコネクタ１のロック金具３０のみを、図１のレセプタクルコネクタ１に保持されている姿勢で示した斜視図である。ロック金具３０は、金属板を所定の形状に打ち抜いた後、折曲端縁３０Ａをもつように板厚方向で折り返した屈曲加工を受けて作られている。図３に見られるように、該ロック金具３０は、上方から見たときに全体として略Ｔ字状をなし、上方から見て二つの略Ｌ字状部分が対称に位置することにより上記略Ｔ字状をなす基部３１と、該基部３１の右端側（折曲端縁３０Ａ側）部分から上方へ起立する起立部３２と、該起立部３２の上端寄り位置で左方へ向けて突出するロック部３３とを有している。
【００４１】
図３に見られるように、二枚の基部３１はいずれも、金属板が折り返されることにより端子配列方向に延びる帯板状部分が二枚重ねされた状態をなす基腕部３１Ａと、板厚方向に屈曲されて拡がる該基腕部３１Ａの上記帯板状部分の左端側でそれぞれコネクタ幅方向（上記端子配列方向に対して直角な方向）外方へ向けて互いに離れるように板厚方向に屈曲される二つのロック解除操作部３１Ｂと、該ロック解除操作部３１Ｂのそれぞれから連続して上記コネクタ幅方向外方へ向けて延長された二つの延長腕部３１Ｃとを有している。
【００４２】
図３に見られるように、各基腕部３１Ａは、その左端側に、上記ロック解除操作部３１Ｂに連結される連結部３１Ａ−１を有している。該連結部３１Ａ−１は、左方へ向かうにつれて二枚の基腕部３１Ａ同士間の距離が徐々に広がるように板厚方向で若干屈曲されていて、互いに離れて位置している。上記ロック解除操作部３１Ｂは、上記基腕部３１Ａの板面に対して直角よりも若干小さい鋭角に屈曲されており、図３に見られるように、その屈曲頂部が端子配列方向（図３にて左右方向）で左方へ向けて突出している。また、上記屈曲頂部は、図１および図２に見られるように、レセプタクル側ハウジング１０外に突出して露呈しており、後述するように、端子配列方向内方（突壁１２側へ向けた方向）へ向けた押圧力をコネクタ同士のロック解除のための操作力として受ける部位をなしている。
【００４３】
延長腕部３１Ｃは、該ロック解除操作部３１Ｂから連続して延長することで形成されており、コネクタ幅方向外方へ向かうにつれて起立部３２側へ若干傾斜して延びる弾性変形部３１Ｃ−１と、上記延長腕部３１Ｃの自由端寄り位置で弾性変形部３１Ｃ−１とは逆の傾斜をなすように屈曲され端子配列方向に対して直角な板面をもつ被保持部３１Ｃ−２が形成されている。ロック金具３０は、上記被保持部３１Ｃ−２でレセプタクル側ハウジング１０に保持されるようになっている。上記弾性変形部３１Ｃ−１は、自由状態にてレセプタクル側ハウジング１０の後述の傾斜面１８Ａ−１と端子配列方向で間隔をもって位置し（図７（Ａ）の実線部分を参照）、該傾斜面１８Ａ−１へ向けて弾性変形可能となっており（図７（Ｂ）の破線部分を参照）、後述するように、起立部３２そしてロック部３３の端子配列方向での移動を可能としている。
【００４４】
被保持部３１Ｃ−２は、上下方向に延びる縁部（自由端縁）の上部からコネクタ幅方向外方へ突出する被係止突部３１Ｃ−２Ａが形成されており、該被係止突部３１Ｃ−２Ａでレセプタクル側ハウジング１０の後述の係止部１８Ａ−３に対して上下方向で係止可能となっている（図５参照）。
【００４５】
図３に見られるように、起立部３２は、金属板が折り返されることにより、上下方向に延びる縦帯板状部分が二枚重ねにされた状態をなしており、該縦帯板状部分が上下方向に延びる右端縁となる既述の折曲端縁３０Ａで連結されている。該起立部３２は、上下方向における基腕部３１Ａとロック部３３との間の範囲で、上下方向に延びる各縦帯板状部分の左端縁からコネクタ幅方向外方へ向けて直角に屈曲されて被規制部３２Ａを有している。後述するように、該被規制部３２Ａは、レセプタクル側ハウジング１０の規制部１８Ｂ−１Ａに対して係止可能となっている。
【００４６】
図３に見られるように、ロック部３３も、基腕部３１Ａや起立部３２と同様に、金属板部分が二枚重ねにされた状態で形成されており、全体として一つのロック部を形成している。該ロック部３３は、上縁が左方へ向かうにつれて下方に傾斜する斜縁を有しているとともに、下縁が上下方向に対して直角な左右方向（端子配列方向）に延びていて鉤状に形成されている。後述するように、該ロック部３３は、コネクタ嵌合状態にて、プラグコネクタ２に設けられた後述の相手ロック金具６０の被ロック部６２Ｃ−１に対して上方へ向けて係止可能となっている。
【００４７】
レセプタクル側ハウジング１０の説明に戻る。図２に見られるように、レセプタクル側ハウジング１０は、ロック金具３０を収容するための二つの収容溝部１８が、端子配列方向での中央位置に対して対称となるようにしてレセプタクル側ハウジング１０の端子配列方向両端側、上方（底壁１１側）から見て略Ｔ字状をなし上方へ向けて開口して形成されている。
【００４８】
以下、図１ないし図７を参照しながら、収容溝部１８の形状を説明する。ここで、図４は、図１のレセプタクルコネクタ１のロック金具３０の取付工程を示す、コネクタ幅方向に対して直角な面での断面斜視図であり、（Ａ）はロック金具３０の取付前、（Ｂ）は該ロック金具３０の取付後を示している。図５は、図１のレセプタクルコネクタ１の端子配列方向に対して直角な面での断面図であり、上記端子配列方向におけるロック金具３０の被保持部３１Ｃ−２の位置での断面を示している。図６は、図１のレセプタクルコネクタ１のコネクタ挿抜方向に対して直角な面での断面図であり、上記端子配列方向での側壁１４の範囲では、ロック部３３の位置での断面を示し、上記端子配列方向での端壁１５の範囲では、上下方向で被保持部３１Ｃ−２の上端の位置での断面を示している。図７は、ロック金具３０の移動を示すレセプタクルコネクタ１の一部の断面図であり、（Ａ）はコネクタ挿抜方向に対して直角な面での断面図であり、（Ｂ）は端子配列方向に対して直角な面での断面図である。
【００４９】
図４（Ａ）によく見られるように、収容溝部１８は、端壁１５の下部で端子配列方向外側に位置して底壁１１に形成されコネクタ幅方向に延びる外溝部１８Ａと、突壁１２の端子配列方向での端部と該端部の下方で端子配列方向内側の位置での底壁とに形成され上下方向に延びる内溝部１８Ｂと、端壁１５および底壁１１に形成され上記外溝部１８Ａおよび上記内溝部１８Ｂを互いに連通させるように端子配列方向に延びる底溝部１８Ｃとを有している。
【００５０】
図２に見られるように、上記外溝部１８Ａは、コネクタ幅方向で同方向両端部を除くほぼ全域にわたって延び、底壁１１側（図２にて上方）および端子配列方向外方へ向けて開放されており、ロック金具３０の二つの延長腕部３１Ｃを収容している（図４（Ｂ）をも参照）。また、上記外溝部１８Ａは、コネクタ幅方向で各延長腕部３１Ｃの弾性変形部３１Ｃ−１に対応する位置に、コネクタ幅方向内方へ向かうにつれて端子配列方向外方へ傾斜する傾斜面１８Ａ−１が形成されている。該傾斜面１８Ａ−１は、既述したように、上記弾性変形部３１Ｃ−１との間に間隔を形成している。
【００５１】
また、図２に見られるように、上記外溝部１８Ａのコネクタ幅方向での両端部には、上記延長腕部３１Ｃの被保持部３１Ｃ−２を収容して保持するためのスリット状の保持溝部１８Ａ−２が、上下方向に延びるとともにコネクタ幅方向内方へ向けて開放されて形成されている（図５をも参照）。図５に見られるように、保持溝部１８Ａ−２は、該保持溝部１８Ａ−２を形成する溝内壁面のうち上記被保持部３１Ｃ−２の上下方向に延びる縁部に対向する溝内壁面の上部に、上記被保持部３１Ｃ−２の被係止突部３１Ｃ−２Ａよりも下方位置で該被係止突部３１Ｃ−２Ａの下縁と対向して該下縁と係止可能な段状の係止部１８Ａ−３が形成されている。
【００５２】
図４（Ａ）に見られるように、底溝部１８Ｃは、上下方向に貫通しており（図７（Ｂ）をも参照）、図４（Ｂ）基腕部３１Ａのうち起立部３２の下方に位置する端部を除く部分を収容している。
【００５３】
内溝部１８Ｂは、図４（Ａ）に見られるように、突壁１２の端面（端子配列方向に対して直角な面）から没して形成されており、下方および端子配列方向外方（図４（Ａ）における左方）へ向けて開放されている。該内溝部１８Ｂは、端子配列方向外方寄り位置にて、コネクタ幅方向で互いに対向する溝内壁面に、該溝内壁面から突出する突出部１８Ｂ−１が形成されている。該突出部１８Ｂ−１は、コネクタ幅方向に見て略Ｌ字形状をなしており、内溝部１８Ｂの端子配列方向中間位置にて上下方向で内溝部１８Ｂのほぼ全域にわたって延びる縦部分と、該縦部分の下部から端子配列方向外方へ延びる横部分とから形成されていて、上記縦部分と上記横部分とで上記略Ｌ字形状をなしている。
【００５４】
突出部１８Ｂ−１は、図４（Ｂ）に見られるように、ロック金具３０の基腕部３１Ａの右端部および起立部３２に対応する領域で突出している。コネクタ幅方向で互いに対向する突出部１８Ｂ−１の頂部の突出対向面（コネクタ幅方向に対して直角な面）同士間の間隔は、上記基腕部３１Ａおよび起立部３２の幅寸法よりも若干広く形成されている（図６および図７（Ａ）をも参照）。したがって、上記突出部１８Ｂ−１は、突出対向面が基腕部３１Ａの上記端部および起立部３２のそれぞれの側面に対して若干の隙間をもって当接可能に位置し、該基腕部３１Ａの右端部および起立部３２のコネクタ幅方向での位置を規制している。なお、上記突出部１８Ｂ−１に上記縦部分を設けることは必須ではなく、例えば、ロック金具３０の起立部３２が十分な剛性をもつなどして上記コネクタ幅方向で変位しにくくなっている場合には、上記突出部１８Ｂ−１から上記縦部分を省略して上記横部分のみからなる構成としてもよい。
【００５５】
上記突出部１８Ｂ−１の横部分は、上記起立部３２の被規制部３２Ａよりも下方に位置する段状の規制部１８Ｂ−１Ａとして形成されている。図４（Ｂ）に見られるように、該規制部１８Ｂ−１Ａの上端面が被規制部３２Ａの下縁と対向して該下縁と上下方向に係止可能に位置しており、上記ロック金具３０の下方への移動を規制している。また、上記規制部１８Ｂ−１Ａの下隅部には、下方へ向かうにつれて端子配列方向内方へ傾斜する傾斜面１８Ｂ−１Ｂが形成されている。該傾斜面１８Ｂ−１Ｂは、後述するように、レセプタクル側ハウジング１０へのロック金具３０の取付けの際に、上記被規制部３２Ａを案内するための案内面として機能する。
【００５６】
また、図４（Ａ），（Ｂ）に見られるように、突壁１２は、端子配列方向にて上記突出部１８Ｂ−１の縦部分から内溝部１８Ｂの溝底１８Ｂ−２（端子配列方向に対して直角な面）にまでわたる範囲で、該内溝部１８Ｂの上側を閉塞する上壁１２Ａが形成されている。該上壁１２Ａの下面は、ロック金具３０の起立部３２の上縁と対向していて該上縁と係止可能に位置しており（図７（Ｂ）をも参照）、後述するように、上記起立部３２の上部の上方への変位を規制している。
【００５７】
次に、図４（Ａ），（Ｂ）にもとづいて、レセプタクル側ハウジング１０へのロック金具３０の取付けについて説明する。ロック金具３０は、図４（Ａ）に示されるように、レセプタクル側ハウジング１０の収容溝部１８へ下方から取り付けられる。ロック金具３０の取付過程にて、該ロック金具３０の被保持部３１Ｃ−２の被係止突部３１Ｃ−２Ａが、外溝部１８Ａの保持溝部１８Ａ−２（図５参照）の溝内壁面（コネクタ幅方向に対して直角な面）に当接して押圧力を受けると、弾性変形部３１Ｃ−１が外溝部１８Ａの傾斜面１８Ａ−１から離れるように弾性変形することにより、上記被保持部３１Ｃ−２のさらなる上方への移動が許容される。そして、被係止突部３１Ｃ−２Ａが上記保持溝部１８Ａ−２の係止部１８Ａ−３よりも上方に達すると、図５に見られるように、弾性変形部３１Ｃ−１が弾性復元力により弾性変形量を減じるように変形し、被係止突部３１Ｃ−２Ａが係止部１８Ａ−３に対して下方へ向けて係止可能に位置する。また、被保持部３１Ｃ−２の上下方向に延びる縁部が保持溝部１８Ａ−２の上記溝内壁面に接圧をもって当接し、該接圧によって保持溝部１８Ａ−２内で保持される。
【００５８】
また、ロック金具３０の取付過程にて、該ロック金具３０の起立部３２の被規制部３２Ａは、突出部１８Ｂ−１の規制部１８Ｂ−１Ａに形成された傾斜面１８Ｂ−１Ｂに当接する。被規制部３２Ａが上記傾斜面１８Ｂ−１Ｂから端子配列方向外方へ向けた押圧力を受けると、弾性変形部３１Ｃ−１が外溝部１８Ａの傾斜面１８Ａ−１から離れるように弾性変形することにより、上記被規制部３２Ａが端子配列方向外方（図４（Ａ），（Ｂ）にて左方）へ変位し、上記被規制部３２Ａのさらなる上方への移動が許容される。該被規制部３２Ａが上記規制部１８Ｂ−１Ａより上方に達すると、上記弾性変形部３１Ｃ−１が弾性変形状態から開放されて、弾性復元力により被規制部３２Ａが端子配列方向内方（図４（Ａ），（Ｂ）にて右方）へ変位して戻ることにより、該被規制部３２Ａが上記規制部１８Ｂ−１Ａに対して下方へ係止可能に位置する。
【００５９】
上述したように、ロック金具３０の上記被保持部３１Ｃ−２および上記被規制部３２Ａがそれぞれレセプタクル側ハウジング１０の係止部１８Ａ−３および上記規制部１８Ｂ−１Ａに対して係止可能に位置する結果、上記ロック金具３０が上記収容溝部１８で収容保持され、該ロック金具３０の取付けが完了する。
【００６０】
端子２０は、図１に見られるように、金属板を打ち抜いて得られた帯状片を板厚方向に屈曲して作られている。該端子２０は、端子配列方向に見て全体が横Ｓ字状をなしており、プラグコネクタ２に設けられた相手端子５０と接触するように屈曲された接触部２１が一端側にそして回路基板の対応回路部に半田接続される接続部２２が他端側に形成されている。該端子２０は、上記端子配列方向に見たとき、逆Ｕ字形状をなす被保持部２３が側壁１４を跨ぐようにして、上方から端子保持溝１７内に圧入されて取り付けられており、該側壁１４の長手方向で等間隔をなして配列されている。被保持部２３には、上記相手端子５０と係止するためのロック突部２３Ａが上記接触部２１側へ向けて突出して形成されている。
【００６１】
上記端子２０が上記端子保持溝１７で保持された状態では、図１に見られるように、該端子２０の接触部２１が突壁１２の側面から受入部１６へ向けて突出するとともに、上記ロック突部２３Ａが側壁１４の内側面から受入部１６へ向けて突出する。また、上記端子２０の接続部２２がレセプタクル側ハウジング１０の底面とほぼ同じ高さでコネクタ幅方向外方へ向けて該レセプタクル側ハウジング１０から延出している。
【００６２】
固定金具７０は、金属板の平坦面を維持するようにして該金属板を打ち抜いて作られており、レセプタクル側ハウジング１０の固定金具保持溝１１Ａへ下方から圧入されて保持されている。上記固定金具７０は、回路基板の対応部（図示せず）に半田付けされることにより、該回路基板に対するレセプタクルコネクタ１の固定に寄与する。
【００６３】
次に、図１、図２および図７（Ｂ）にもとづいて、相手コネクタたるプラグコネクタ２の構成を説明する。プラグコネクタ２は、略直方体外形をなすプラグ側ハウジング４０と、該プラグ側ハウジング４０の長手方向を端子配列方向として該プラグ側ハウジング４０によって二列に配列保持される複数の相手端子５０と、上記長手方向での上記プラグ側ハウジング４０の両端部（後述の端壁４５）で保持される二つの相手ロック金具６０とを有している。該プラグコネクタ２は、図２に示される姿勢で回路基板上に配置実装され、図１に示されるように上下反転させた姿勢でレセプタクルコネクタ１に嵌合接続される。
【００６４】
上記プラグ側ハウジング４０は、例えば樹脂等の電気絶縁材で作られており、回路基板の実装面と平行な一方向を長手方向（端子配列方向）として延びている。該プラグ側ハウジング４０は、上記実装面に対して平行な底壁４１（図１参照）と、図２に見られるように、該底壁４１から上方へ向けて起立する枠状の嵌合部としての周壁４３とを有している。該周壁４３は、上記端子配列方向に延びる一対の側壁４４と、該端子配列方向に対して直角なコネクタ幅方向に延び上記一対の側壁４４の端部同士を連結する一対の端壁４５とを有している。該周壁４３に囲まれ上方へ開口する空間は、レセプタクルコネクタ１の突壁１２を受け入れるための受入部４６として形成されている。
【００６５】
図７（Ｂ）によく見られるように、端壁４５は、該端壁４５に取り付けられる後述の相手ロック金具６０の折返板部６２を収容して保持するための保持凹部４５Ａが、上記端壁４５の内側面から没して形成されている。また、底壁４１は、図７（Ｂ）に見られるように、保持凹部４５Ａの上方位置で上下方向にスリット状に貫通し該保持凹部４５Ａと連通する貫通孔４１Ａが形成されている（図１をも参照）。
【００６６】
図２に見られるように、端壁４５は、保持凹部４５Ａよりも上方にプラグコネクタ２の案内のための案内部４５Ｂが形成されている。案内部４５Ｂの上面は、端子配列方向に向かうにつれて下方へ傾斜しており、コネクタ嵌合過程にて、プラグコネクタ２を端子配列方向でレセプタクル側ハウジング１０の受入部１６へ案内するための案内面として機能する。上記案内部４５Ｂはコネクタ幅方向での中央位置で切り欠かれている。この切り欠かれた部分である切欠部４５Ｃは、コネクタ幅方向で後述する相手ロック金具６０の孔部６２Ｃと同位置に形成されている。コネクタ嵌合過程では、レセプタクルコネクタ１のロック金具３０のロック部３３が該切欠部４５Ｃ内を通過することにより、ロック部３３と上記案内部４５Ｂとの干渉を回避できるので、該案内部４５Ｂの損傷（削れ）を防止できる。
【００６７】
相手端子５０は、金属板を打ち抜いて得られた帯状片を板厚方向に屈曲して作られている。該相手端子５０は、プラグ側ハウジング４０の各側壁４４に一体モールド成形されて保持されており、該側壁４４の長手方向で等間隔をなして配列されている。該相手端子５０は、プラグ側ハウジング４０の底壁４１とほぼ同じ高さ位置で側壁４４からコネクタ幅方向外方へ延出する直状の接続部５１と、該接続部５１に連続して図２での上方（図１での下方）へ向けて屈曲されるとともに逆Ｕ字状に折り返され上記側壁４４に埋没保持される逆Ｕ字部分とを有している。該逆Ｕ字部分は、上記側壁４４に沿って延びていて、逆Ｕ字状の板面が該側壁４４と同一面を形成するようにして露呈している。
【００６８】
上記相手端子５０の逆Ｕ字状部分の二つの脚部のうち、側壁４４の内側面側に位置する一方の脚部は、レセプタクルコネクタ１の端子２０の突状の接触部２１を受け入れて該接触部２１と接触するための接触凹部５２が板面から没して形成されている。また、側壁４４の外側面側に位置する他方の脚部は、上記端子２０のロック突部２３Ａを受け入れて該ロック突部２３Ａと係止するための被ロック凹部５３が板面から没して形成されている。
【００６９】
相手ロック金具６０は、金属板を所定の形状に打ち抜いた後、板厚方向で折り返すように屈曲加工して作られている。図７（Ｂ）に見られるように、該相手ロック金具６０は、端子配列方向でのプラグ側ハウジング４０の端壁４５の位置にて底壁４１の底面（図１での上面）とほぼ同じ高さに位置で端子配列方向外方へ延出する固定部６１（図１をも参照）と、該固定部６１に連続して図７（Ｂ）での下方（図２では上方）へ向けて屈曲されるとともに下端で上方（図２では下方）へ向けて折り返された折返板部６２とを有している。
【００７０】
上記固定部６１は、回路基板の対応部（図示せず）に半田付けされることにより、該回路基板に対するプラグコネクタ２の固定に寄与する。また、図７（Ｂ）によく見られるように、上記折返板部６２は、端子配列方向で互いに対面する二つの板状部分を有している。以下、この二つの板状部分のうち端子配列方向外側（図７（Ｂ）にて左側）に位置し、上端が上記固定部６１に連結されている板状部分を「外板部６２Ａ」といい、端子配列方向内側（図７（Ｂ）にて右側）の板状部分を「内板部６２Ｂ」という。外板部６２Ａおよび内板部６２Ｂは、それぞれ板厚方向に貫通する孔部６２Ｃが、端子配列方向から見て同位置に形成されている（図２をも参照）。本実施形態では、これらの二つの孔部６２Ｃが相俟って、ロック金具３０のロック部３３と係止するための被ロック部６２Ｃ−１として機能する。また、外板部６２Ａの上下方向に延びる両側縁には、プラグ側ハウジング４０の保持凹部４５Ａ内での相手ロック金具６０の圧入時の係止保持のための圧入突部（図示せず）が突出形成されている。
【００７１】
相手ロック金具６０は、折返板部６２を底壁４１の底面側（図７（Ｂ）の上方）から貫通孔４１Ａを経て保持凹部４５Ａ内に圧入することにより、プラグ側ハウジング４０に取り付けられる。取付けが完了した状態では、外板部６２Ａの圧入突部は上記保持凹部４５Ａの上下方向に延びる両側内縁に対して喰い込み、これによって相手ロック金具６０の抜けが防止される。また、上記内板部６２Ｂの板面は、該端壁４５の内面と同一面を形成するようにして受入部４６へ向けて露呈している（図２をも参照）。
【００７２】
次に、図１および図７（Ａ），（Ｂ）にもとづいて、レセプタクルコネクタ１とプラグコネクタ２とのコネクタ嵌合動作について説明する。まず、レセプタクルコネクタ１およびプラグコネクタ２をそれぞれ対応する回路基板に半田接続により取り付ける。次に、図１に見られるように、レセプタクルコネクタ１を受入部１６が上方へ向いた姿勢とするとともに、該レセプタクルコネクタ１の上方で、プラグコネクタ２の受入部４６（図２参照）が下方へ向いた姿勢とする。
【００７３】
次に、図１の姿勢を維持したままプラグコネクタ２を降下させて、レセプタクルコネクタ１の突壁１２をプラグコネクタ２の受入部４６内へ下方から進入させるとともに、プラグコネクタ２の周壁４３をレセプタクルコネクタ１の受入部１６内へ上方から進入させる。この結果、レセプタクルコネクタ１の端子２０の接触部２１そしてロック突部２３Ａが、プラグコネクタ２の相手端子５０の接触凹部５２内そして被ロック凹部５３内にそれぞれ突入係止して、端子同士の電気的な接触及びコネクタ抜出方向（上方）へのロックがなされる。
【００７４】
また、コネクタ嵌合過程において、相手ロック金具６０の折返板部６２の下端が、ロック金具３０のロック部３３の上縁（傾斜縁）に当接し、該ロック部３３を端子配列方向内方へ向けた押圧力をもって押圧する。ロック部３３が上記押圧力を受けると、該ロック部３３は、図７（Ａ）にて破線で示されるように、内溝部１８Ｂの溝底１８Ｂ−２（端子配列方向に対して直角な面。図４をも参照）側へ向けて移動して、内溝部１８Ｂ内に収容される。このとき、ロック部３３の移動は、ロック金具３０の延長腕部３１Ｃの弾性変形によって許容される。具体的には、図７（Ａ）にて破線で示されるように、延長腕部３１Ｃの弾性変形部３１Ｃ−１が、被保持部３１Ｃ−２との境界位置近傍を支点として、端子配列方向内方へ向けて、換言すると外溝部１８Ａの傾斜面１８Ａ−１へ向けて弾性変形する。この結果、ロック金具３０の連結部３１Ａ−１同士が互いに近づくように変位し、起立部３２およびロック部３３が上記端子配列方向内方へ向けて、すなわち内溝部１８Ｂの溝底１８Ｂ−２側へ向けて移動する。
【００７５】
また、上記折返板部６２の下端が上記ロック部３３の上縁に当接すると、該ロック部３３は、押圧力を受ける上縁が傾斜縁となっているので、上述した端子配列方向内方へ向けた分力の押圧力に加え、下方へ向けた分力の押圧力も受ける。しかし、本実施形態では、レセプタクル側ハウジング１０の規制部１８Ｂ−１Ａがロック金具３０の被規制部３２Ａの下方にて該被規制部３２Ａと係止可能に位置していて、ロック金具３０の下方への移動が規制されるようになっているので、レセプタクル側ハウジング１０からのロック金具３０の抜けが防止される。
【００７６】
上述したように、ロック部３３が内溝部１８Ｂ内へ収容されることにより、プラグコネクタ２のさらなる降下が許容される。そして、図７（Ｂ）に見られるように、相手ロック金具６０の孔部６２Ｃが、ロック金具３０のロック部３３の位置に達して該ロック部３３が上述の押圧力から開放されると、図７（Ａ），（Ｂ）にて実線で示されるように、延長腕部３１Ｃが弾性変形状態から開放されてその弾性復元力により自由状態に戻る。この結果、ロック部３３は、図７（Ｂ）にて実線で示されるように、孔部６２Ｃ内へ進入し、被ロック部６２Ｃ−１、すなわち孔部６２Ｃの下縁に対してコネクタ抜出方向（上方）へ係止可能に位置してロック状態となる。
【００７７】
本実施形態では、相手ロック金具６０の被ロック部６２Ｃ−１は、相手ロック金具６０の折返板部６２の二つの板部、すなわち外板部６２Ａおよび内板部６２Ｂで、同一位置にて同一径で貫通する孔部の縁部として形成されているので、一つの板部だけに被ロック部を設ける場合と比較して、ロック金具３０のロック部３３に対して係止可能な部分の範囲が二枚の板厚分となって倍増し、その分、ロック状態の確実性そして安定性を向上させることができる。本実施形態では、被ロック部を二つの板部に設けることしたが、三つ以上の板部に設けることにより、ロック状態をさらに安定させることができるのは言うまでもない。
【００７８】
このように、端子２０，５０同士が互いに接続そしてロックされ、ロック金具３０，６０同士がロックされることにより、コネクタ嵌合動作が完了する。既述したように、レセプタクル側ハウジング１０の突壁１２には、ロック金具３０の起立部の上縁と対向して該上縁と係止可能に位置する上壁１２Ａが設けられている。したがって、コネクタ嵌合状態にて、プラグコネクタ２がコネクタ抜出方向（上方）へ不用意にもち上げられたとしても、上記起立部３２の上縁が上記上壁１２Ａの下面に係止するので、上記起立部３２の上部の変位が規制される。この結果、ロック金具３０のロック部３３と相手ロック金具６０の被ロック部６２Ｃ−１との係止状態が維持され、安定したロック状態を維持できる。
【００７９】
また、既述したように、ロック金具３０の起立部３２および基腕部３１Ａは、内溝部１８Ｂの対向内壁面から突出する突出部１８Ｂ−１の突出対向面によって、コネクタ幅方向での位置が規制されているので、上記ロック部３３と上記被ロック部６２Ｃ−１との係止状態を確実に確保でき、安定したロック状態を維持できる。
【００８０】
次に、図７（Ａ），（Ｂ）にもとづいて、コネクタ抜出動作について説明する。レセプタクルコネクタ１とのコネクタ嵌合状態にあるプラグコネクタ２を抜出する際には、レセプタクルコネクタ１のロック金具３０のロック解除操作部３１Ｂを端子配列方向内方へ向けて押圧して解除操作を行う。ロック解除操作部３１Ｂが上記端子配列方向内向への押圧力を解除操作力として受けると、延長腕部３１Ｃの弾性変形部３１Ｃ−１が同方向に弾性変形する。そして、既述したコネクタ嵌合過程について説明したのと同様に、ロック金具３０の連結部３１Ａ−１同士が互いに近づくように変位し、起立部３２およびロック部３３が上記端子配列方向内方へ向けて、すなわち内溝部１８Ｂの溝底１８Ｂ−２側へ向けて移動する（図７（Ａ），（Ｂ）の破線参照）。
【００８１】
この結果、ロック部３３が内溝部１８Ｂ内に収容され、該ロック部３３とプラグコネクタ２の相手ロック金具６０の被ロック部６２Ｃ−１との係止可能なロック状態が解除される。そして、プラグコネクタ２をコネクタ抜出方向（上方）へもち上げることにより、該プラグコネクタ２が難なく抜出され、コネクタ抜出動作が完了する。
【００８２】
本実施形態では、ロック金具３０は、起立部３２が内溝部１８Ｂ内に位置しているとともに、ロック部３３が上記起立部３２の上部から内溝部１８Ｂ外へ向けて突出して受入部１６内に位置している。換言すると、起立部３２およびロック部３３が端子配列方向での端壁１５同士間の範囲内に位置しており、この範囲内で移動するようになっている。したがって、ロック部３３の突出量を大きく確保しても、ロック金具３０の配置の有無にかかわらず存在する上記範囲内で該ロック部３３そして起立部３２の上記端子配列方向での移動を許容するための空間を容易に確保でき、上記端子配列方向でコネクタの大型化を回避できる。また、本実施形態では、ロック金具３０のうち上記範囲内に配される部分は、コネクタ幅方向に対して直角な板面をもつ板状をなしている。したがって、該コネクタ幅方向では上記部分の板厚分の寸法を、同方向での側壁１４同士間の範囲に確保すれば済むので、同方向でもコネクタの大型化を回避できる。
【００８３】
また、上記突壁１２は端子配列方向、すなわちレセプタクル側ハウジング１０の長手方向に延びているので、端壁の壁厚内に溝部を形成する場合と比較して、上記溝部（内溝部１８Ｂ）の深さを十分に大きくすることができる。したがって、ロック部３３の突出量を大きく確保しても、起立部３２が、該ロック部３３が上記内溝部１８Ｂ内に収容されるのに必要な寸法分だけ上記内溝部１８Ｂ内で移動できる。つまり、ロック部３３の突出量を十分に大きくして、相手ロック金具６０の被ロック部６２Ｃ−１と係止可能な部分の範囲を大きく確保できるので、確実なロック状態を安定して得ることができる。
【００８４】
また、本実施形態では、ロック金具３０の基部３１に設けられた弾性変形部３１Ｃ−１の弾性変形により、ロック部３３および起立部３２の端子配列方向での移動が許容されている。このように、基部３１に弾性変形部３１Ｃ−１を設けたことにより、ロック部３３自体に弾性をもたせる必要がなくなるので、ロック部３３自体の剛性ひいては強度を高くでき、安定したロック状態を得ることができる。また、ロック部３３の突出量を大きくすることにより、該ロック部３３の剛性ひいては強度をさらに高くできるので、ロック状態の安定性のさらなる向上を図ることができる。
【００８５】
本発明におけるロック金具は、本実施形態に限られず、種々の変形が可能である。例えば、図８（Ａ）に示されるように、延長腕部のみならず、基腕部にも弾性変形部を形成してもよい。図８（Ａ）では、第一実施形態のロック金具３０と同一の部分には「１００」を加えた符号を付している。この変形例では、ロック金具１３０は、端子配列方向（基腕部１３１Ａの長手方向）で弾性変形可能な弾性変形部１３１Ａ−２が、基腕部１３１Ａの二つの帯状板部分をその長手方向中間位置で互いに離れる方向へ向けて突出するように屈曲することにより形成されている。該弾性変形部１３１Ａ−２は、連結部１３１Ａ−１に隣接した位置に、上下方向中間位置で端子配列方向に延びるスリット孔１３１Ａ−３が形成されている。本実施形態では、該スリット孔１３１Ａ−３の上下に位置する細い部分を弾性変形部１３１Ａ−２とすることで、該弾性変形部１３１Ａ−２をより弾性変形しやすくしている。延長腕部１３１Ｃの弾性変形部１３１Ｃ−１に加えて基腕部１３１Ａに上記弾性変形部１３１Ａ−２を追加して形成することにより、コネクタ嵌合過程にて、ロック部１３３および起立部１３２が端子配列方向内方（図８（Ａ）にて右方）へ向けてより円滑に移動できる。
【００８６】
また、さらに異なる変形例として、図８（Ｂ）に示されるように、延長腕部にロック解除操作部を設けず、また、弾性変形部を延長腕部ではなく基腕部に形成することとしてもよい。図８（Ａ）では、第一実施形態のロック金具３０と同一の部分には「２００」を加えた符号を付している。この変形例では、ロック金具２３０は、基腕部２３１Ａのうち端子配列方向内方側の部分、起立部２３２およびロック部２３３だけが帯状板が二枚重ねにされて形成されており、それ以外の部分は、一枚の帯状板で形成されている。
【００８７】
図８（Ｂ）に見られるように、ロック金具２３０の基腕部２３１Ａは、その長手方向中間位置でコネクタ幅方向の一方へ向けた突出湾曲部で弾性変形部２３１Ａ−２を形成しており、該弾性変形部２３１Ａ−２から連続して延びる直状部分が上記弾性変形部２３１Ａ−２の突出方向とは逆の方向に向けて延びている。また、上記直状部分の端部に折り返し部分が形成されて、その先方を上記弾性変形部２３１Ａ−２の突出する方向と同方向に延ばすことで延長腕部２３１Ｃが形成されている。該延長腕部２３１Ｃは、その中間部で端子配列方向外方へ突出湾曲している。
【００８８】
この変形例では、上記弾性変形部２３１Ａ−２は、端子配列方向に弾性変形することにより、コネクタ嵌合過程におけるロック部２３３および起立部２３２が端子配列方向内方（図８（Ａ）にて右方）へ向けて移動する際に、その移動を許容する。
【００８９】
＜第二実施形態＞
第一実施形態では、ロック解除操作部３１Ｂがコネクタ幅方向に対して鋭角をなすように屈曲されているが、第二実施形態は、ロック解除操作部がコネクタ幅方向外方へ向けて直角に屈曲されており、この点で、第一実施形態と構成が異なっている。図９は、第二実施形態に係るレセプタクルコネクタの一部の横断面図であり、コネクタ挿抜方向に対して直角な面での断面を示している。第二実施形態のレセプタクルコネクタの形状は、上記ロック金具の基部を除いて、第一実施形態と同じであるので、同一部分には、第一実施形態の符号に「３００」を加えて説明を省略する。
【００９０】
図９に見られるように、第二実施形態におけるロック金具３３０は、基腕部３３１Ａの二つの帯状板部分が端子配列方向全域にわたって同幅の間隔をもって互いに近接した位置で同方向に延びている。そして、二つのロック解除操作部３３１Ｂは、基腕部３３１Ａの左端部でコネクタ幅方向外方へ向けて互いに離れる方向に直角に屈曲されている。このようにロック解除操作部３３１Ｂが直角に屈曲されていることにより、弾性変形部３３１Ｃ−１はコネクタ幅方向に対して傾斜することなく同方向外方へ向けて延びている。
【００９１】
第二実施形態では、コネクタ嵌合過程にて、プラグコネクタに設けられた相手ロック金具によってロック部３３３が端子配列方向内方へ押圧されたとき、そしてコネクタ抜出の際に、ロック解除操作部３３１Ｂが端子配列方向内方へ向け押圧されたときに、ロック金具３３０は、図９にて破線で示されるように変位する。具体的には、弾性変形部３３１Ｃ−１が端子配列方向内方へ向けて傾斜するように弾性変形して、基腕部３３１Ａの連結部３３１Ａ−１（左端部）同士間そしてロック解除操作部３３１Ｂ同士間がコネクタ幅方向で互いに離れる方向へ傾斜するように変位する。この結果、ロック部３３３は、レセプタクル側ハウジング３１０の内溝部内に収容されて、コネクタ同士の嵌合および抜出が可能となる。
【００９２】
＜第三実施形態＞
第一実施形態では、ロック部３３の少なくとも一部および起立部３２が突壁１２の内溝部１８Ｂ内に位置しているが、第三実施形態では、ロック金具のロック部および起立部が端子配列方向でレセプタクル側ハウジングの突壁と異なる位置で受入部内に露呈して設けられており、この点で、第一実施形態と構成が異なっている。図１０は、第三実施形態に係るレセプタクルコネクタ４０１を示す斜視図である。第三実施形態のレセプタクルコネクタ４０１の形状は、上記レセプタクルハウジングの突壁を除いて、第一実施形態のレセプタクルコネクタ１と同じであるので、同一部分には、第一実施形態の符号に「４００」を加えて説明を省略する。
【００９３】
図１０に見られるように、レセプタクル側ハウジング４１０の突壁４１２は、第一実施形態の突壁１２の端子配列方向での両端部、すなわち同方向で内溝部１８Ｂが形成されている部分を削除した形状をなしている。したがって、第三実施形態の突壁４１２には、第一実施形態における内溝部は形成されておらず、ロック金具４３０のロック部４３３および起立部４３２は、突壁４１２外で該突壁部の端壁面４１２Ｂ（端子配列方向に対して直角な面）との間に間隔をもった位置で受入部４１６内に露呈している。
【００９４】
また、本実施形態では、端子４２０は、図１０に示されているように、第一実施形態の端子２０のうち、ロック突部２３Ａよりも若干下方の位置から接触部２１（自由端）にまでわたる部分が省略したような形状をなしている。このような形状の端子４２０は、ロック突部４２３Ａが、相手端子の被ロック部（図示せず）と係止するロック部としての機能と、上記被ロック部と接触して電気的に接続される接触部としての機能を有している。
【００９５】
このような構成のレセプタクルコネクタ４０１では、コネクタ嵌合過程およびコネクタ抜出過程にて、ロック部４３３および起立部４３２が上記突壁の４１２の端壁面４１２Ｂ側へ向けて移動可能であり、コネクタ同士の嵌合および抜出が可能となっている。
【００９６】
＜第四実施形態＞
第一実施形態では、プラグコネクタ２の相手ロック金具６０の被ロック部６２Ｃ−１は折返板部６２の孔部６２Ｃの縁部に設けられているが、第四実施形態では、被ロック部が折返板部の板面から突出する突部として形成されており、この点で、第一実施形態と異なっている。図１１は、第四実施形態に係るプラグコネクタ５０２を示しており、（Ａ）はプラグコネクタ５０２を示す斜視図であり、（Ｂ）は（Ａ）のプラグコネクタ５０２のコネクタ幅方向に対して直角な面での断面斜視図である。第四実施形態のプラグコネクタ５０２の形状は、上記ロック部を除いて、第一実施形態のプラグコネクタ２と同じであるので、同一部分には、第一実施形態の符号に「５００」を加えて説明を省略する。
【００９７】
図１１（Ａ），（Ｂ）に見られるように、相手ロック金具５６０の被ロック部５６２Ｃは、折返板部５６２の板面から端子配列方向内方へ向けて突出する突部として形成されている。上記被ロック部５６２Ｃは、図１１（Ｂ）に見られるように、内側板部５６２Ｂにプレス加工を施すことにより形成されている。コネクタ嵌合状態では、図１１（Ｂ）に見られるように、上記被ロック部５６２Ｃは、レセプタクルコネクタ５０１のロック金具５３０のロック部５３３の下方に位置で、該ロック部５３３に対してコネクタ抜出方向（上方）へ向けて係止可能に位置する。
【００９８】
第一ないし第四実施形態では、ロック金具のロック部の下縁は、上下方向に対してほぼ直角に延びていて、プラグコネクタの抜出は、別部位でのロック解除操作が必要であることしたが、これに代えて、端子配列方向外方へ向かうにつれて上方へ向けて傾斜する傾斜縁を有していていてもよい。このようにロック部に傾斜縁を設けた場合、コネクタ抜出の際にプラグコネクタを一定量以上の抜出力をもって上方へもち上げると、上記被ロック部が上記ロック部の傾斜縁（下縁）に下方から当接して該ロック部を端子配列方向内方へ向けて押圧する。この結果、ロック金具の弾性変形部の弾性変形によって、上記ロック部の端子配列方向内方への移動が許容されて、ロック状態が解除されるので、プラグコネクタの抜出が可能になる。つまり、プラグコネクタをもち上げる操作だけで該プラグコネクタを抜出できるので、ロック部にロック解除操作部を設ける必要がなくなる。このような形態は、ロック強度がさほど大きくないようなコネクタに適用されるのが好ましい。また、ロック部の下縁に代えてあるいはロック部の下縁とともに、被ロック部の縁部に、端子配列方向内方へ向かうにつれて下方へ傾斜する傾斜縁を設けた場合も同様の効果が得られる。
【００９９】
第一ないし第四実施形態では、プラグコネクタの被ロック部は、相手ロック金具に形成されていることとしたが、必ずしも相手ロック金具に形成されている必要はなく、例えば、プラグコネクタのプラグ側ハウジングに形成されていてもよい。
【０１００】
また、第一ないし第四実施形態では、プラグコネクタは回路基板用電気コネクタであることとしたが、プラグコネクタの種類はこれに限られず、例えば、ケーブルに接続されるケーブル用電気コネクタであることとしてもよい。
【符号の説明】
【０１０１】
１  レセプタクルコネクタ                １８Ｂ−１  突出部
２  プラグコネクタ（相手コネクタ）      １８Ｂ−１Ａ  規制部
１０  レセプタクル側ハウジング          ２０  端子
１１  底壁                              ３０  ロック金具
１２  突壁                              ３１  基部
１２Ａ  上壁                            ３１Ｂ  ロック解除操作部
１３  周壁                              ３１Ｃ  延長腕部
１４  側壁                              ３１Ｃ−１  弾性変形部
１５  端壁                              ３１Ｃ−２  被保持部
１６  受入部                            ３１Ｃ−２Ａ  被係止突部
１８  収容溝部                          ３２  起立部
１８Ａ−２  保持溝部                    ３２Ａ  被規制部
１８Ａ−３  係止部                      ３３  ロック部
１８Ｂ  内溝部                          ６２Ｃ−１  被ロック部
【図１】
2014093180.tif 000003
【図２】
2014093180.tif 000004
【図３】
2014093180.tif 000005
【図４】
2014093180.tif 000006
【図５】
2014093180.tif 000007
【図６】
2014093180.tif 000008
【図７】
2014093180.tif 000009
【図８】
2014093180.tif 000010
【図９】
2014093180.tif 000011
【図１０】
2014093180.tif 000012
【図１１】
2014093180.tif 000013